(57)【要約】【課題】  光源から照射される光を装飾し、十分な視覚効果を与え得るディスプレイ装置を提供する。【解決手段】  ディスプレイ装置は、ＬＥＤ等の光源を備えた光源部１０と、この光源部１０からの照射光の一部を透過し一部を反射するハーフミラー部２０と、このハーフミラー部２０からの透過光の一部を透過し拡大するレンズ形成部３０と、を有して構成される。ハーフミラー部２０で背面側に反射した光は、光源部１０において再反射して再度前面側に進行する。これを繰り返すことで、光源光の像が多重に得られ、立体パターンを形成するようになっている。また、ハーフミラー部２０を透過した光は、レンズ形成部３０を透過することにより、拡大した円状及び環状の光の像が得られる。また、レンズ形成部３０は、その背面側に形成された点描画素をレンズによる視覚効果により、前面側に立体画像を形成する。【選択図】        図１
2007241234.tif 000002
【特許請求の範囲】
【請求項１】
ミラーのディスプレイ視認側にハーフミラーを備え、前記ミラーとハーフミラーとの間で繰り返し反射されディスプレイ視認側に前記ハーフミラーを透過した光の像をレンズにより拡大表示することを特徴とするディスプレイ装置。
【請求項２】
ディスプレイの視認側である前面側に光を反射するミラーと、前記ミラーにおける光透過領域から前面側に光を照射する光源と、前記光源の前面側に備えられ前記光源光の一部を前面側に透過し一部を前面側の反対方向の背面側に反射するハーフミラーと、前記ハーフミラーの前面側に備えられたレンズとを有するディスプレイ装置であって、
前記レンズは、前記ハーフミラーからの透過光を拡大表示することを特徴とするディスプレイ装置。
【請求項３】
前記ディスプレイ装置は、前記ハーフミラーと前記レンズとの距離を調整可能な支持部をさらに有することを特徴とする請求項２記載のディスプレイ装置。
【請求項４】
前記レンズは、前記ハーフミラーの前面側に配置される透明板上に形成されており、該透明板上には、文字、図柄又は記号が装飾されていることを特徴とする請求項２又は３記載のディスプレイ装置。
【請求項５】
前記レンズの背面側には、複数の点描画素が形成されていることを特徴とする請求項２から４のいずれか１項に記載のディスプレイ装置。
【請求項６】
複数の円筒形状の層が断面同心円状に配置されて構成され円筒側面側を視認側とするディスプレイ装置であって、
前記円筒の内周側に備えられ円筒外周側に光を照射する第１の光源と、
前記第１の光源の外周側に備えられディスプレイの視認側である円筒外周側に光を反射するとともに前記光源光を透過する光透過領域を備えたミラー層と、
前記ミラー層の外周側に備えられ前記第１の光源光の一部を外周側に透過し一部を内周側に反射するハーフミラー層と、
を有することを特徴とするディスプレイ装置。
【請求項７】
前記ディスプレイ装置の両円筒底面側のうちの少なくとも一方に備えられる第２の光源をさらに有し、
前記第２の光源は、前記ハーフミラー層の外周側の一部に形成されている画像上に光を照射することを特徴とする請求項６記載のディスプレイ装置。
【請求項８】
前記ディスプレイ装置は、前記ハーフミラー層と前記ミラー層との距離を調整可能な支持部をさらに有することを特徴とする請求項６又は７記載のディスプレイ装置。
【請求項９】
ミラーのディスプレイ視認側にハーフミラーを備え、前記ミラーとハーフミラーとの間の空気充填層で繰り返し反射されディスプレイ視認側に前記ハーフミラーを透過した光の像を立体的に表示することを特徴とするディスプレイ装置。
【請求項１０】
前記ミラーのディスプレイ視認側の面上に、図柄、文字を示す像表示部材を貼付することを特徴とすることを特徴とする請求項９記載のディスプレイ装置。
【請求項１１】
透明な板状の基材のディスプレイ視認側の面にハーフミラー層、反対側の面にミラー層を備え、前記ミラー層とハーフミラー層との間で繰り返し反射されディスプレイ視認側に前記ハーフミラーを透過した光の像を立体的に表示することを特徴とするディスプレイ装置。
【請求項１２】
前記ミラー層及びハーフミラー層は、一方の面に接着剤を塗布したシール状の部材であり、ガラス又は透明樹脂の一方の面に前記シール状のミラー層を貼付し、他方の面に前記シール状のハーフミラー層を貼付するとともに、前記シール状のミラー層の一部を透明に形成することを特徴とする請求項１１記載のディスプレイ装置。
【請求項１３】
板状の基材の表裏両面にハーフミラーを備え、前記両ハーフミラー間で繰り返し反射し、前記ハーフミラーから前記表側又は前記裏側へ透過した光の像を立体的に表示することを特徴とするディスプレイ装置。
【発明の詳細な説明】
【技術分野】
【０００１】
本発明は、ディスプレイ装置に関し、特に、光源を利用し、立体画像を表示するディスプレイ装置に関する。
【背景技術】
【０００２】
一般に、店舗や会社は、自店舗、自社又は商品等を消費者に対してアピールするために、様々な広告宣伝活動を行う。
このような広告宣伝活動のうち、よく用いられている方法の１つに、看板や装飾物等のディスプレイによるものがある。
このディスプレイは、店舗や会社の建物の屋内、外壁又は屋上等に取り付けられ、通行人や自動車の搭乗者等に対して店舗名（会社名）や商品名の宣伝を行ったり、その建物を美しく装飾し好印象を与えるようにしたりしている。
例えば、このディスプレイには、電球、蛍光灯又はＬＥＤ等の電飾を施すことにより、より一層、通行人等の目に留まり易くしているものもある。
【０００３】
このような電飾を施したディスプレイに関する発明の１つに、特許文献１に開示されるディスプレイ装置がある。
このディスプレイ装置は、透明層と、透明層の視認側（以下、前面側という）に配置されたハーフミラー部（第１の蒸着部）と、その反対側（以下、背面側という）に配置された第２の蒸着部とを有している。
この第２の蒸着部には、所定のパターンを有するエッチングパターン層が形成されており、照明具は第２の蒸着部の背面側からエッチングパターン層に光を照射するようになっている。エッチングパターン層を透過した照射光は、透明層を通り、ハーフミラー部に到達したとき、一部がハーフミラー部を透過して前面から出て行く。そして、一部はハーフミラー部により反射されて再び透明層を通り第２の蒸着部へ到達し、第２の蒸着部により反射されて再び前方へ進行する。これを繰り返す結果、パターンが奥行き方向に多重化して視認され、美しいパターンをディスプレイできるようになっている。
【特許文献１】特開２００３−２０２８２４
【発明の開示】
【発明が解決しようとする課題】
【０００４】
しかしながら、その特許文献１に開示されるディスプレイ装置には、以下のような問題点がある。
このディスプレイ装置には、前述したように、ハーフミラー部の背面側にエッチングパターン層を備えているが、このエッチングパターン層を設けるためには煩雑なエッチングの作業が必要となるという問題がある。
また、そのエッチングパターン層の背面側から光を照射することで、任意の文字や図柄を発光させ、その立体パターンを形成できるようになっているが、そのディスプレイによる視覚的効果には限界があり、結果として、通行人等に対する宣伝効果も薄くなり、ディスプレイ本来の効果が十分に期待できなくなってしまうという問題がある。
【０００５】
本発明は、上記問題点に鑑みてなされたものであり、光源から照射される光を装飾し、十分な視覚効果を与え得るディスプレイ装置を提供することを目的とする。
【課題を解決するための手段】
【０００６】
かかる目的を達成するため、本発明におけるディスプレイ装置は、ミラーのディスプレイ視認側にハーフミラーを備え、ミラーとハーフミラーとの間で繰り返し反射されディスプレイ視認側にハーフミラーを透過した光の像をレンズにより拡大表示することを特徴とする。
【０００７】
また、本発明は、ディスプレイの視認側である前面側に光を反射するミラーと、ミラーにおける光透過領域から前面側に光を照射する光源と、光源の前面側に備えられ光源光の一部を前面側に透過し一部を前面側の反対方向の背面側に反射するハーフミラーと、ハーフミラーの前面側に備えられたレンズとを有するディスプレイ装置であって、レンズは、ハーフミラーからの透過光を拡大表示することを特徴とする。
【０００８】
また、本発明におけるディスプレイ装置は、ハーフミラーとレンズとの距離を調整可能な支持部をさらに有することを特徴とする。
【０００９】
また、本発明によれば、そのレンズは、ハーフミラーの前面側に配置される透明板上に形成されており、透明板上には、文字、図柄又は記号が装飾されていることを特徴とする。
【００１０】
また、本発明によれば、そのレンズの背面側には、複数の点描画素が形成されていることを特徴とする。
【００１１】
また、本発明によれば、視認側にレンズを複数配置して、光源を幻想的に見せる点を特徴とする。
【００１２】
また、本発明は、複数の円筒形状の層が断面同心円状に配置されて構成され円筒側面側を視認側とするディスプレイ装置であって、円筒の内周側に備えられ円筒外周側に光を照射する第１の光源と、第１の光源の外周側に備えられディスプレイの視認側である円筒外周側に光を反射するとともに光源光を透過する光透過領域を備えたミラー層と、ミラー層の外周側に備えられ第１の光源光の一部を外周側に透過し一部を内周側に反射するハーフミラー層と、を有することを特徴とする。
【００１３】
また、本発明におけるディスプレイ装置の両円筒底面側のうちの少なくとも一方に備えられる第２の光源をさらに有し、その第２の光源は、ハーフミラー層の外周側の一部に形成されている画像上に光を照射することを特徴とする。
【００１４】
また、本発明におけるディスプレイ装置は、ハーフミラー層とミラー層との距離を調整可能な支持部をさらに有することを特徴とする。
【００１５】
また、本発明におけるディスプレイ装置は、ミラーのディスプレイ視認側にハーフミラーを備え、ミラーとハーフミラーとの間の空気充填層で繰り返し反射されディスプレイ視認側にハーフミラーを透過した光の像を立体的に表示することを特徴とする。
また、そのミラーのディスプレイ視認側の面上に、図柄、文字を示す像表示部材を貼付することを特徴とする。
【００１６】
また、本発明におけるディスプレイ装置は、透明な板状の基材のディスプレイ視認側の面にハーフミラー層、反対側の面にミラー層を備え、ミラー層とハーフミラー層との間で繰り返し反射されディスプレイ視認側にハーフミラーを透過した光の像を立体的に表示することを特徴とする。
また、そのミラー層及びハーフミラー層は、一方の面に接着剤を塗布したシール状の部材であり、ガラス又は透明樹脂の一方の面に前記シール状のミラー層を貼付し、他方の面にそのシール状のハーフミラー層を貼付するとともに、そのシール状のミラー層の一部を透明に形成することを特徴とする。
【００１７】
また、本発明におけるディスプレイ装置は、板状の基材の表裏両面にハーフミラーを備え、それら両ハーフミラー間で繰り返し反射し、そのハーフミラーから表側又は裏側へ透過した光の像を立体的に表示することを特徴とする。
【発明の効果】
【００１８】
本発明におけるディスプレイ装置は、ハーフミラーの前面側にレンズ、背面側に光源を配置した構成であるので、その光源から照射される光を装飾し、十分な視覚効果を実現することが可能となる。
【発明を実施するための最良の形態】
【００１９】
＜第１の実施形態＞
（第１の実施形態の構成）
図１は、本発明の第１の実施形態におけるディスプレイ装置の外観図である。
以下、図を用いて、本実施の形態におけるディスプレイ装置の構成の概略について説明を進める。
図に示すように、このディスプレイ装置は、ＬＥＤ等の光源を備えた光源部１０と、この光源部１０からの照射光の一部を透過し一部を反射するハーフミラー部２０と、このハーフミラー部２０からの透過光の一部を透過し拡大するレンズ形成部３０と、を有して構成される。
【００２０】
ハーフミラー部２０で背面側に反射した光は、光源部１０において再反射して再度前面側に進行する。これを繰り返すことで、光源光の像が多重に得られ、立体パターンを形成するようになっている。
また、ハーフミラー部２０を透過した光は、レンズ形成部３０を透過することにより、拡大した円状の像及び環状の像が得られる。
また、レンズ形成部３０は、その背面側に形成された点描画素をレンズによる視覚効果により、前面側に立体画像を形成する。
【００２１】
図２は、図１のディスプレイ装置のＡ−Ａ’断面を示す図である。
以下、この図を用いて、ディスプレイ装置の構成について、さらに詳細に説明する。
図に示すように、ディスプレイ装置は、光源部１０の前面側にハーフミラー部２０が設けられ、そのハーフミラー部２０の前面側にレンズ形成部３０が設けられる構成となっている。
【００２２】
光源部１０は、筐体１１と、この筐体１１の前面側に備えられたミラー１２と、その筐体１１内に収容され前面側に光を照射する光源１３と、この光源１３の電源１４とを有する。
このミラー１２は、前面側からの光を前面側に反射する。また、このミラー１２には、筐体１１内に備えられた光源１３からの照射光を前面側に進行させるための光透過領域（穴や透明部材等）が設けられている。
【００２３】
ハーフミラー部２０は、ハーフミラー２１と、このハーフミラー２１をミラー１２の前面上に支持する４本の柱状の支持脚２２とを有する。
この支持脚２２によって支持されることにより、ハーフミラー２１とミラー１２との間に空隙２３が形成される。このハーフミラー２１とミラー１２との間の距離は、例えば３〜１００ｍｍ程度である。
また、このハーフミラー２１は、光源光の一部を前面側に透過し、一部を再度背面側（ミラー１２側）に反射する。
【００２４】
レンズ形成部３０は、透明性を備えた透明板３１と、この透明板３１の前面側に多数設けられた透明板３１と同素材のレンズ３２と、その透明板３１の背面側に一定のパターンで印刷されている点描画素３３と、その透明板３１をハーフミラー２１の前面上に支持する４本の柱状の支持脚３４とを有する。
この支持脚３４によって支持されることにより、透明板３１とハーフミラー２１との間に空隙３５が形成される。この透明板３１とハーフミラー２１との間の距離は、例えば１〜５００ｍｍ程度である。
【００２５】
透明板３１は、軟質または硬質塩化ビニール樹脂、アクリル樹脂、ポリカーボ樹脂、ペット樹脂などの合成樹脂や、ガラスなどを素材とする透明の板である。また、透明板３１は、一定の厚さ（例えば、１ｍｍ〜２００ｍｍ程度）があり、形状は、矩形（長方形・正方形）、平行四辺形、菱形、三角形、その他の多角形、円形、楕円形など、ディスプレイの使用目的に応じて、いずれの形状でもよく、さらに、大きさは矩形の場合、１辺が数センチメートルから数メートルまで、これも使用目的に応じて、いずれの大きさでもよい。
【００２６】
レンズ３２は、前述の透明板１と同じ透明素材から形成される。透明板３１とレンズ２の素材は一致させる必要はない。
図に示す例では、レンズ３２の形状は半球状となっているが、基本的にレンズの機能を損なわない範囲であれば、例えば四角錐や三角錐、その他凸状など、形状は球面に限定するものではない。
また、レンズ３２の大きさは、例えば直径が０．２５ｍｍ〜４０ｍｍ程度で、透明板１の厚みや大きさに応じて設定される。該レンズ３２は透明板１の表面に付着させる。また、レンズ３２はグラビア印刷やスクリーン印刷などにより印刷して表出させてもよい。
透明板３１には、多数のレンズ３２が例えば０．６ｍｍ〜９６ｍｍ程度のピッチで縦横規則正しく配置される。
【００２７】
点描画素３３は、前述の透明板３１の背面側の面にスクリーン印刷などにより無数に印刷される点であって、これらが集合して、全体として文字や絵柄（写真）等の画像などの地紋を表示する。該点描画素３３の大きさや配列は、上記レンズ３２の大きさや配列に応じて決定される。
この点描画素３３は、レンズ３２による視覚効果により前面側に立体像を形成する。
【００２８】
（第１の実施形態における視覚効果の説明）
本実施の形態におけるディスプレイ装置は、以上のような構成を備えて、以下の３種の視覚効果を備えた像を前面側に形成する。
（１）光源光の像の立体パターン
（２）光源光の周囲に形成される円状及び環状の像
（３）点描画素３３による立体像
以下、図面を用いて、これらの各像について説明する。
【００２９】
（１）光源光の像の立体パターン
図３は、光源１３からの照射光の光路を示す図である。
以下、この図を用いて、ディスプレイ装置による光源光の像の生成過程について説明する。
図に示すように、光源１３から照射された光は、前面側に進行する。
この照射光の一部はハーフミラー２１を前面側に透過し、一部は背面側に反射する。この前面側に透過した方の光源光は、透明板３１上のレンズ３２に到達する。一方、ハーフミラー２１の背面側への反射光は、ミラー１２において再度前面側に反射し、再度ハーフミラー２１にて反射又は透過し、透過した光は透明板３１上のレンズ３２に到達する。
そして、ハーフミラー２１における反射又は透過が複数回繰り返されることで、像の立体パターンが形成される。
図４は、その光源光の像の立体パターンの一例を示す図である。
図に示すように、ディスプレイ装置の前面側には、光源光の像が前面側に多重に隣接し連続して現れ、像の立体パターンが形成される。
【００３０】
（２）光源光の周囲に形成される円状及び環状の像
また、レンズ３２に到達した連続した光源光は、そのレンズ３２により拡大され、前面側から見ると、その多重に表示された各像１点１点の周囲に、円状及び環状の像が表示される。
図５は、その円状の像及び環状の像の一例を示す図である。
図に示すように、光源光の中心の周囲に、光源よりも淡い円状の光の像が形成される。また、この淡い円状の光の像の周囲には、環状の光の像が形成される。
【００３１】
なお、前述の円状又は環状の光の像は、透明板３１とハーフミラー２１との距離が大きくなればなるほど、その直径も大きくなる。その透明板３１・ハーフミラー２１間の距離を適宜調整することにより、任意の目的に応じた光の視覚効果を期待することができる。
図６は、本実施の形態における支持脚３４の形状の一例を示す図である。
図に示すように、支持脚３４を同心の径の異なる複数の管状の部材等により構成して伸縮自在とすることで、その調整を容易に行うことができるようにしてもよい。
また、時間に応じてその距離の伸縮を自動的に行うようにし、その円状及び環状の光の像の大きさを変化させることで、さらなる視覚効果を得ることも可能である。
【００３２】
（３）点描画素３３による立体像
また、前述したように、透明板３１の背面側に形成された点描画素３３は、レンズによる視覚効果により、立体画像を前面側に形成する。
図７は、本実施の形態におけるレンズ３２の焦点距離と、レンズ３２と点描画素３３との間の距離の関係を示す図である。
以下、この図を用いて、その点描画素３３による立体画像について説明する。
図に示すように、レンズ３２が凸レンズの場合、点描画素３３をレンズ３２の焦点距離の内側に配置すると、その点描画素３３の像を、奥行きのある、拡大した正立の虚像として映し出す。特に、本実施の形態では、点描画素３３の明瞭な像が得られるように、この点描画素３３の形成位置を、ほぼ焦点の位置とする。
さらに、その像が所定の画像パターンの繰り返しにより表現されている場合、その画像パターン間のピッチが大きければ大きいほど、その虚像は奥に見える。この点描画素３３のピッチを調整することにより、この点描画素３３により構成される絵柄等の奥行き感を任意のものにすることができる。特に、１つのディスプレイ装置において、この点描画素３３をピッチの異なる複数のパターンで描画するとき、ピッチが大きなパターンは奥に見え、ピッチが小さなパターンはそのパターンよりも手前に見えるので、顕著な立体視覚効果を得ることができ、装飾性に優れた画像を表現することができるようになる。
【００３３】
（第１の実施形態のまとめ）
以上説明したように、本実施の形態によれば、支持脚２２，３４によりミラー１２、ハーフミラー２１、透明板３１間に形成される空隙２３，３５間において、ハーフミラー２１により光源光の透過又は反射が繰り返されることにより、光源光の像が前面側に多重に現れ、立体的パターンを形成するので、視覚効果を向上させることが可能となる。
また、ハーフミラー２１の透過光はレンズ３２により拡大されて、光源光の中心の周囲に淡い円状の光の像が形成されるので、その光を立体的に見せることができ、視覚効果をより一層高めることが可能となる。
また、光源光の中心の周囲に、この淡い円状の光の像の周囲には、さらに環状の光が形成されるので、光を幻想的に見せることができ、美的視覚効果をより向上させることが可能となる。
【００３４】
透明板３１とハーフミラー２１との間の距離を調整することにより、その円状又は環状の像の大きさを任意に変更することができ、目的に応じた光を容易に発光させることが可能となる。
また、その距離を自動的に伸縮させることで、その円状及び環状の像の大きさに変化をつけることができ、さらなる視覚効果を得ることもできる。
【００３５】
また、透明板３１の背面側の面に形成された点描画素３３による立体画像を前面側に表示するので、ディスプレイにおける表現の可能性を拡大し、さらなる視覚効果を得ることができるようになっている。
【００３６】
以上のような各視覚効果によって、本実施の形態におけるディスプレイ装置は、会社や店舗等の看板として利用できる他、壁やウインドウ等に設置して、通行人や客等に対して高い広告宣伝効果やアピール効果を期待できる。
また、このディスプレイ装置の利用範囲は、会社や店舗等の商業目的の施設に限定されず、各公的機関の施設や公園等、様々な場所、分野で利用可能である。
【００３７】
なお、本実施の形態では、各４本の支持脚２２，３４でそれぞれハーフミラー２１、透明板３１を支持していたが、支持可能であればその本数を増減することができる。また、この空隙を形成する構成は、柱状の支持脚によるものに限定されず、例えば、筐体内に所定間隔をおいて、ハーフミラーや透明板を取り付けて空隙を形成するようにしてもよい。
【００３８】
また、透明板３１上に絵柄や文字等を装飾的に形成し、前述の光源光の像とともに、ディスプレイとしての宣伝効果を向上させるようにしてもよい。
さらに、透明板３１の背面側の面に点描画素３３を直接印刷せずに、点描画素３３を印刷したシート（図示せず）を透明板３１の裏面に重ねるようにしてもよい。
【００３９】
また、ミラー１２やハーフミラー２１を撓ませることにより、光源光の像の形状が変化し、視覚的に特徴のある形態を表示することが可能となる。
【００４０】
＜第２の実施形態＞
（第２の実施形態の概要）
以上説明したように、第１の実施形態におけるディスプレイ装置は、平面状の多層構造に構成され、看板等に利用することにより優れた視覚効果を実現するものである。
これに対し、以下説明する第２の実施形態におけるディスプレイ装置は、表面を曲面状に構成し、スロットマシンやパチスロ等の遊技機のリール部分に利用するものである。この本実施の形態におけるディスプレイ装置は、遊戯中にそのリール形状のディスプレイ装置を回動させ、停止したときに、立体像を表出させて優れた視覚効果をユーザ側に与えるというものである。
以下、特記しない限り、本実施の形態における構成及び効果は、本発明の第１の実施形態と同様であるものとして、この本実施の形態におけるディスプレイ装置について詳細に説明を進める。
【００４１】
（第２の実施形態の構成）
（１）全体構成
図８は、本発明の第２の実施形態におけるディスプレイ装置の外観を示す斜視図である。
また、図９は、本発明の第２の実施形態におけるディスプレイ装置の断面略図であり、図８のＢ−Ｂ’断面を示している。
以下、これらの図を用いて、本実施の形態におけるディスプレイ装置の構成について説明する。
【００４２】
図に示すように、本実施の形態におけるディスプレイ装置は、自身が回動する回胴リール部１００と、この回胴リール部１００を回動させる回動駆動部２００とを有して構成される。
この回胴リール部１００は、底面が略円形状の略円筒形状を構成している。この円筒底面の円中心上に、その円筒底面と垂直に回動軸が設けられている。回動駆動部２００は、この回動軸を中心に回胴リール部１００を回動させる。
本実施形態におけるディスプレイ装置は、このように回胴リール部１００を回転させることで、スロットマシンを用いた遊技機等における回胴リール部分に使用することができる。
なお、本実施形態において、正面側とは、略円筒形状であるディスプレイ装置の回動部分の円筒側面のうち、リール形状のディスプレイ装置を遊技機に備えたときに、そのリールの絵柄や文字等が表示され視認可能な側をいう。
【００４３】
（２）回胴リール部１００の構成
ここで、前述の回胴リール部１００の構成について詳細に説明する。
図に示すように、この回胴リール部１００は、円筒形状の円筒部１１０と、この円筒部１１０の内壁面を支持して円筒部１１０に一定の耐強度を付与する支持部１２０とを有して構成される。
【００４４】
この円筒部１１０には、内周側から外周側に向けて様々な素材による複数の層により構成されており、この円筒底面側の断面は、これら複数の層により略同心円状となっている。
これら複数の層のうち最も内周側には、円筒部１１０を形状保持するための不透明層である形状保持層１１１が設けられている。
【００４５】
この形状保持層１１１の外周側には、外周側から照射される光を全反射するミラー層１１２が積層されている。例えば、このミラー層１１２は、一方の面がミラー面であり、他方の面が接着剤の塗布面であるシート状の素材であって、前述の形状保持層１１１の外周側に貼付される。
なお、このミラー層１１２及び形状保持層１１１の一部には、絵柄や文字等を表すように、光透過性を有する光透過領域１１８が設けられており、形状保持層１１１の内周側に設置される後述する光源２０４からの光がミラー層１１２の外周側に透過するよう構成されている。
この光透過領域１１８は、形状保持層１１１及びミラー層１１２の一部分を重ねてくり抜いて、絵柄や文字等を表すようにしてもよいし、そのくり抜き部分を透明素材（軟質又は硬質塩化ビニール樹脂、アクリル樹脂、ポリカーボ樹脂、ペット樹脂等の合成樹脂や、ガラス等）で構成するようにしてもよい。
【００４６】
そのミラー層１１２の外周側の面上には、内周側から外周側に向けて放射状に略同寸の複数の支持脚１３０が立設されている。さらにこの支持脚１３０により、ミラー層１１２の外周側にハーフミラー層１１４が支持されている。
このミラー層１１２とハーフミラー層１１４の層間には、前述の支持脚１３０により空気が充填されている空間層１１３が形成される。
【００４７】
そのハーフミラー層１１４は、内周側からの光源光の一部を外周側に透過させるとともに、一部を内周側に反射させる。
さらに、このハーフミラー層１１４の外周側の一部には絵柄や文字等が印刷されて印刷領域１１５が形成されている。例えば、この印刷領域１１５には、スロットマシンのボーナス発生時に表示したい絵柄等が印刷されている。
なお、この印刷領域１１５は、半透明のような光透過性を備えているものでもよいし、光透過性を備えていないものでもよい。
【００４８】
そのハーフミラー層１１４の外周側の面上には、内周側から外周側に向けて放射状に略同寸の複数の支持脚１３１が立設されている。さらにこの支持脚１３１により、ハーフミラー層１１４の外周側に透明層１１６が支持されている。
このハーフミラー層１１４と透明層１１６との層間には、前述の支持脚１３１により空気が充填されている空間層１１９が形成される。
【００４９】
また、その透明層１１６は、光透過性を備えた素材からなるものであり、例えば、軟質又は硬質塩化ビニール樹脂、アクリル樹脂、ポリカーボ樹脂、ペット樹脂等の合成樹脂や、ガラス等を素材とする透明素材からなる。
この透明層１１６の内周側又は外周側の一部には、絵柄や文字等が印刷されて、印刷領域１１７が形成されている。例えば、この印刷領域１１７には、使用目的に応じて、通常スロットマシンによく用いられる「７」、「チェリー」、「ＢＡＲ」といった絵柄や文字が印刷されている。
【００５０】
また、支持部１２０は、例えば図に示すように、形状保持層１１１の内周側の面を十字に支持し、円筒部１１０の形状保持のための強度を補強している。なお、この図中の支持部１２０の形状は、あくまでも一例であり、円筒部１１０に一定の強度を与えるものであれば他の形状であってもよい。
また、この支持部１２０において、円筒部１１０の円筒底面の円中心に相当する位置には、回胴リール部１００の回動軸が連結され、回動駆動部２００による回動軸回りの回転が回胴リール部１００に伝達されるようになっている。
【００５１】
（３）回動駆動部２００の構成
次に、前述の回胴リール部１００を回動させる回動駆動部２００の構成について詳細に説明する。
図に示すように、回動駆動部２００は、前述の回動軸２０１と、この回動軸２０１回りに回胴リール部１００を回動させるモータ等の駆動源２０２と、この駆動源２０２が設置されているディスプレイ装置の筐体２０３と、この筐体２０３に設置され、内周側から外周側に向かって一定の範囲で光を照射する光源２０４と、筐体２０３に設置され、回胴リール部１００の両円筒底面側の少なくとも一方の側から光を照射する光源２０５とを有して構成される。
【００５２】
駆動源２０２は、図示しないプロセッサ等からの制御信号に応じて、回動軸２０１を介して円筒部１１０を回動軸２０１回りに回動させる。
【００５３】
光源２０４，２０５は、ＬＥＤ（Ｌｉｇｈｔ  Ｅｍｉｔｔｉｎｇ  Ｄｉｏｄｅ）や蛍光灯等の光源である。
光源２０４は、形状保持層１１１の内周側に設置されており、その形状保持層１１１の内周側から外周側に向けて光を照射する。この光源２０４からの照射光は、形状保持層１１１及びミラー層１１２の光透過領域１１８を抜けて、ハーフミラー層１１４に達し、その一部は内周側に反射し、一部はハーフミラー層１１４を透過して外周側へ進行する。
光源２０５は、正面側から見て回胴リール部１００の左右両円筒底面側のうち、少なくとも一方の側の正面側寄りに設置されている。この光源２０５からの照射光は、ハーフミラー層１１４上に形成されている印刷領域１１５に照射され、その印刷領域１１５の像を正面側から容易に視認できるようにする。
【００５４】
（第２の実施形態における視覚効果の説明）
本実施の形態におけるディスプレイ装置は、以上のような構成を備えて、外周側（正面側）から視認可能な、以下の２種の視覚効果を備えた像を形成する。
（１）光透過領域１１８の像の立体パターン
（２）印刷領域１１５の像の立体パターン
以下、図面を用いて、これらの各像について説明する。
【００５５】
（１）光透過領域１１８の像の立体パターン
まず、前述の２種の視覚効果のうち、光透過領域１１８の像の立体パターンの生成過程について説明する。
図１０は、本発明の第２の実施形態における光源２０４からの照射光の光路を示す図である。
図に示すように、光源２０４から外周側に照射された光は、形状保持層１１１及びミラー層１１２に設けられている光透過領域１１８を透過して外周側に進行する。
この照射光の一部は空間層１１３を経てハーフミラー層１１４を外周側に透過し、一部はハーフミラー層１１４で内周側に反射する。
このうち、外周側に透過した方の光源光は、空間層１１９及び透明層１１６を介して、ディスプレイ装置の外周方向に通過し、ユーザに視認される。一方、ハーフミラー層１１４の内周側への反射光は、ミラー層１１２において再度外周側に反射し、再度ハーフミラー層１１４にて反射又は透過し、透過した光は前述のようにディスプレイ装置の外周方向に通過する。
そして、ハーフミラー層１１４における反射又は透過が複数回繰り返されることで、光透過領域１１８により形成されている像の立体パターンが形成される。
【００５６】
図１１は、その光透過領域１１９の像の立体パターンの一例を示す図である。
図に示すように、外周側からディスプレイ装置を見ると、光源２０４からの照射光が光透過領域１１８によりかたどられて、多重に隣接し連続した像が現れ、立体パターンを視認できるようになる。
【００５７】
また、支持脚１３０の長さを調整して、ミラー層１１２とハーフミラー層１１４との間の距離を短くすればするほど、前述の多重に隣接した像間の距離が近くなる。
反対に、ミラー層１１２とハーフミラー層１１４との間の距離を長くすればするほど、その像間の距離は遠くなり、奥行きのある立体パターン像となる。
このように、支持脚１３０の長さを適宜調整することで、目的に応じた立体パターン像が得られる。
なお、この支持脚１３０は、第１の実施形態における支持脚３４と同様に、その長さを自在に調整可能なように構成されている。
【００５８】
（２）印刷領域１１５の像の立体パターン
次に、印刷領域１１５の像の立体パターンの生成過程について説明する。
図１２は、本発明の第２の実施の形態における光源２０５による円筒底面方向からの照射光の光路を示す図である。
図に示すように、ハーフミラー層１１４上に形成された文字や絵柄等の印刷領域１１５に対して、両円筒底面側のうちの少なくとも一方に備えられた光源２０５から光を照射すると、この光源２０５の照射光が、その印刷領域１１５の像にかたどられて、前述の光源２０４の照射光と同様に、一部は空間層１１３を経てハーフミラー層１１４を外周側に透過し、一部はハーフミラー層１１４で内周側に反射する。
このことによりそして、ハーフミラー層１１４における反射又は透過が複数回繰り返されることで、光透過領域１１９の像と同様に、印刷領域１１５の像の立体パターンが形成される。
【００５９】
（３）回胴リール部１００の回動時及び停止時における視覚効果
以上のようにして、光透過領域１１８の像及び印刷領域１１５の像の立体パターンが形成されるが、回胴リール部１００が回動しているときは、それら光透過領域１１８及び印刷領域１１５の像は、その回動方向に所定速度で移動していくので、正面側からはっきりと視認しにくい。
一方、その回胴リール部１００が停止し、その光透過領域１１８や印刷領域１１５の像が正面側に位置すると、前述の視覚効果により、光透過領域１１８や印刷領域１１５の像の立体パターンが現れ、正面側から視認可能な状態になる。
このように、回胴リール部１００が回動中には、立体パターンの視認が困難であり、停止すると、容易に視認することができるようになるので、停止時に印象的な視覚効果をスロットマシンのユーザ等に対して非常に効果的に与えることが可能となる。
【００６０】
（第２の実施の形態のまとめ）
以上説明したように、本実施の形態によれば、ディスプレイ装置をスロットマシン等の遊技機に使用するとき、回動している回胴リール部１００が停止すると、光透過領域１１８及び印刷領域１１５の像の立体パターンが現れ、画像や文字を効果的に強調するので、優れた視覚効果をユーザに与えることが可能となる。
【００６１】
なお、本実施の形態におけるディスプレイ装置は、スロットマシンのリールのような曲面に利用したものであるが、第１の実施の形態と同様に、平面状に構成し、看板等に利用
することも、もちろん可能である。このときも同様に、光透過領域１１８及び印刷領域１１５の像の立体パターンが現れ、優れた視覚効果をユーザに与えることが可能となる。
【００６２】
＜第３の実施形態＞
（第３の実施形態の概要）
以下説明する第３の実施形態におけるディスプレイ装置は、前述した第１の実施形態におけるディスプレイ装置と同様に、平面状の多層構造に構成され、看板等に利用することにより優れた視覚効果を実現するものである。
以下、特記しない限り、本実施の形態における構成及び効果は、本発明の第１の実施形態と同様であるものとして、この本実施の形態におけるディスプレイ装置について詳細に説明を進める。
【００６３】
（第３の実施形態の構成）
図１３は、本発明の第３の実施形態におけるディスプレイ装置の外観図である。
以下、図を用いて、本実施の形態におけるディスプレイ装置の構成の概略について説明を進める。
図に示すように、このディスプレイ装置は、ＬＥＤ等の光源を備えた光源部３１０と、この光源部３１０からの照射光の一部を透過し一部を反射するハーフミラー部３２０と、を有して構成される。
【００６４】
光源部３１０は、筐体３１１と、この筐体３１１の前面側に備えられたミラー３１２と、その筐体３１１内に収容され前面側に光を照射する光源３１３と、この光源３１３の電源３１４とを有する。
このミラー３１２は、前面側からの光を前面側に反射する。また、このミラー３１２には、筐体３１１内に備えられた光源３１３からの照射光を前面側に進行させるための透明な光透過領域３１５（穴や樹脂等の透明部材等）が設けられている。この光透過領域３１５は、図柄や文字を表現するものであってもよく、この図柄や文字を前面側から多重の像として確認することができる。
【００６５】
ハーフミラー部３２０は、ハーフミラー３２１と、このハーフミラー３２１をミラー３１２の前面上に支持する複数本の柱状の支持脚３２２とを有する。
この支持脚３２２によって支持されることにより、ハーフミラー３２１とミラー３１２との間に空気が充填されている空間層３２３が形成される。このハーフミラー３２１とミラー３１２との間の距離は、例えば３〜１００ｍｍ程度である。
また、このハーフミラー３２１は、光源光の一部を前面側に透過し、一部を再度背面側（ミラー３１２側）に反射する。
【００６６】
（第３の実施形態における視覚効果の説明）
次に、この図を用いて、ディスプレイ装置による光源光の像の生成過程について説明する。
図に示すように、光源３１３から照射された光は、光透過領域３１５を透過して前面側に進行する。
この光透過領域３１５を透過した照射光の一部はハーフミラー３２１を前面側に透過し、一部は背面側に反射する。ハーフミラー３２１から背面側へ進行する反射光は、ミラー３１２において再度前面側に反射し、再度ハーフミラー３２１にて反射又は透過する。
そして、ハーフミラー３２１における反射又は透過が複数回繰り返されることで、第１の実施形態と同様に、ディスプレイ装置の前面側には、光源光の光透過領域３１５をかたどった像が前面側に多重に隣接し連続して現れ、像の立体パターンが形成される。
【００６７】
（第３の実施形態のまとめ）
以上説明したように、本実施の形態によれば、支持脚３２２によりミラー３１２、ハーフミラー３２１間に形成される空間層３２３において、ハーフミラー３２１により光源光の透過又は反射が繰り返されることにより、光源光の像が前面側に多重に現れ、立体的パターンを形成するので、視覚効果を向上させることが可能となる。
【００６８】
また、支持脚３２２の長さを調整して、ミラー３１２とハーフミラー３２１との間の距離を短くすればするほど、前述の多重に隣接した像間の距離が近くなる。
反対に、ミラー３１２とハーフミラー３２１との間の距離を長くすればするほど、その像間の距離は遠くなり、奥行きのある立体パターン像となる。
このように、支持脚３２２の長さを適宜調整することで、目的に応じた立体パターン像が得られる。
なお、この支持脚３２２は、第１の実施形態における支持脚３４と同様に、その長さを自在に調整可能なように構成されている。
【００６９】
＜第４の実施形態＞
（第４の実施形態の概要）
前述の第１〜３の実施形態におけるディスプレイ装置は、ミラーとハーフミラーとの間に空気が充填された空間層を有するものである。
これに対し、以下説明する第４の実施形態におけるディスプレイ装置は、基材の表裏にそれぞれミラー層及びハーフミラー層を形成することにより、その基材が空間層の役割を行うものである。
以下、特記しない限り、本実施の形態における構成及び効果は、本発明の第１の実施形態と同様であるものとして、この本実施の形態におけるディスプレイ装置について詳細に説明を進める。
【００７０】
（第４の実施形態の構成）
図１４は、本発明の第４の実施形態におけるディスプレイ装置の外観図である。
以下、図を用いて、本実施の形態におけるディスプレイ装置の構成の概略について説明を進める。
図に示すように、このディスプレイ装置は、ＬＥＤ等の光源を備えた光源部４１０と、この光源部４１０からの照射光の透過及び反射を行う透過反射部４２０と、を有して構成される。
【００７１】
光源部４１０は、筐体４１１と、この筐体４１１内に収容され前面側に光を照射する光源４１２と、この光源４１２の電源４１３とを有する。
【００７２】
透過反射部４２０は、樹脂（アクリル、ポリ塩化ビニル、ポリカーボネイト、ＰＥＴ等）やガラス等を素材とする透明な板状の基材４２１と、この基材４２１の背面側に水銀を塗布する等して形成されるミラー層４２２と、その基材４２１の前面側にハーフミラー状のシールを貼付する等して形成されるハーフミラー層４２３と、を有する。
このハーフミラー層４２３は、光源光の一部を前面側に透過し、一部を再度背面側（ミラー層４２２側）に反射する。
また、ミラー層４２２は、前面側からの光を前面側に反射する。また、このミラー層４２２には、筐体４１１内に備えられた光源４１２からの照射光を前面側に進行させるための透明な光透過領域４２４が設けられている。この光透過領域４２４は、図柄や文字を表現するものであってもよく、この図柄や文字を前面側から多重の像として確認することができる。例えば、この光透過領域４２４は、エッチング又は彫刻加工をしてミラー層４２２を削り取る等して除去することにより形成される。
【００７３】
（第４の実施形態における視覚効果の説明）
次に、この図を用いて、ディスプレイ装置による光源光の像の生成過程について説明する。
図に示すように、光源４１２から照射された光は、光透過領域４２４を透過して前面側に進行する。
この光透過領域４２４を透過した照射光の一部はハーフミラー層４２３を前面側に透過し、一部は背面側に反射する。ハーフミラー層４２３から背面側へ進行する反射光は、ミラー層４２２において再度前面側に反射し、再度ハーフミラー層４２３にて反射又は透過する。
そして、ハーフミラー層４２３における反射又は透過が複数回繰り返されることで、第１の実施形態と同様に、ディスプレイ装置の前面側には、光透過領域４２４をかたどった光源光の像が前面側に多重に隣接し連続して現れ、像の立体パターンが形成される。
【００７４】
（第４の実施形態のまとめ）
以上説明したように、本実施の形態によれば、ミラー層４２２、ハーフミラー層４２３間において、光源光の透過又は反射が繰り返されることにより、光源光の像が前面側に多重に現れ、立体的パターンを形成するので、視覚効果を向上させることが可能となる。
【００７５】
また、基材４２１の厚さを調整して、ミラー層４２２とハーフミラー層４２３との間の距離を短くすればするほど、前述の多重に隣接した像間の距離が近くなる。
反対に、ミラー層４２２とハーフミラー層４２３との間の距離を長くすればするほど、その像間の距離は遠くなり、奥行きのある立体パターン像となる。
このように、基材４２１の厚さを適宜調整することで、目的に応じた立体パターン像が得られる。
また、特に、ミラー層４２２とハーフミラー層４２３との間の距離を短く調整する場合には、本実施形態のように基材４２１自体を空間層として用いることにより、構成の簡略化を図ることができる。
【００７６】
（第４の実施形態のディスプレイ装置の変型例）
前述のミラー層４２２及びハーフミラー層４２３の裏面に接着剤を塗布して、厚さ０．０５〜０．１程度のシール状に形成し、既存のアクリル板やガラス板の表裏面に貼付することにより、前述の本実施形態の効果と同様の効果が得られる。
例えば、ガラス製の店舗等のウインドウの前面にハーフミラー層４２３のシールを貼付し、背面にミラー層４２２のシールを貼付し、背面側から光を照射する。このとき、ミラー層４２２のシールの一部をくり抜いて図柄や文字等を予め形成しておくことで、この図柄や文字を多重の像として前面側に映し出すことができる。
【００７７】
＜第５の実施形態＞
（第５の実施形態の概要）
前述した第１，３，４の実施形態におけるディスプレイ装置は、ミラー（層）の一部に光透過領域を設けて像を形成するものである。
これに対し、以下説明する第５の実施形態におけるディスプレイ装置は、ミラー表面に図柄や文字等が示されたシールを貼付し、像として映し出すものである。
以下、特記しない限り、本実施の形態における構成及び効果は、本発明の第１の実施形態と同様であるものとして、この本実施の形態におけるディスプレイ装置について詳細に説明を進める。
【００７８】
（第５の実施形態の構成）
図１５は、本発明の第５の実施形態におけるディスプレイ装置の外観図である。
以下、図を用いて、本実施の形態におけるディスプレイ装置の構成の概略について説明を進める。
図に示すように、このディスプレイ装置は、照射光の透過及び反射を行い像を形成する透過反射部５１０と、この透過反射部５１０に光を照射する光源部５２０とを有して構成される。
【００７９】
透過反射部５１０は、前面からの照射光を前面に反射するミラー５１１と、このミラー５１１上に貼付され図柄や文字等が示されている像表示部材５１２と、このミラー５１１の前面に設けられミラー５１１の反射光の一部を透過し一部を反射するハーフミラー５１３と、ミラー５１１上にこのハーフミラー５１３を前面側に支持する複数本の柱状の支持脚５１４とを有する。
この支持脚５１４によって支持されることにより、ハーフミラー５１３とミラー５１１との間に空気が充填されている空間層５１５が形成される。このハーフミラー５１３とミラー５１１との間の距離は、例えば３〜１００ｍｍ程度である。
【００８０】
光源部５２０は、ＬＥＤ等の光源５２１と、この光源５２１に電力を供給する電源５２２とを有して構成される。この光源５２１は、前述の空間層５１５の側方に備えられており、ミラー５１１前面に光を照射するものである。
【００８１】
（第５の実施形態における視覚効果の説明）
次に、この図を用いて、ディスプレイ装置による光源光の像の生成過程について説明する。
図に示すように、光源５２１から照射された光は、空間層５１５を通過してミラー５１１及び像表示部材５１２前面側に進行する。
このミラー５１１及び像表示部材５１２に照射された光は、そのままハーフミラー５１３側へ反射される。
このハーフミラー５１３への反射光の一部はハーフミラー５１３を前面側に透過し、一部は背面側に反射する。ハーフミラー５１３から背面側へ進行する反射光は、ミラー５１１において再度前面側に反射し、再度ハーフミラー５１３にて反射又は透過する。
そして、ハーフミラー５１３における反射又は透過が複数回繰り返されることで、第１の実施形態と同様に、ディスプレイ装置の前面側には、光源光の像が前面側に多重に隣接し連続して現れ、像の立体パターンが形成される。
【００８２】
（第５の実施形態のまとめ）
以上説明したように、本実施の形態によれば、支持脚５１４によりミラー５１１、ハーフミラー５１３間に形成される空間層５１５において、ハーフミラー５１３により光源光の透過又は反射が繰り返されることにより、光源光の像が前面側に多重に現れ、立体的パターンを形成するので、視覚効果を向上させることが可能となる。
【００８３】
また、支持脚５１４の長さを調整して、ミラー５１１とハーフミラー５１３との間の距離を短くすればするほど、前述の多重に隣接した像間の距離が近くなる。
反対に、ミラー５１１とハーフミラー５１３との間の距離を長くすればするほど、その像間の距離は遠くなり、奥行きのある立体パターン像となる。
このように、支持脚５１４の長さを適宜調整することで、目的に応じた立体パターン像が得られる。
なお、この支持脚５１４は、第１の実施形態における支持脚３４と同様に、その長さを自在に調整可能なように構成されている。
【００８４】
＜第６の実施形態＞
（第６の実施形態の概要）
前述した第４の実施形態におけるディスプレイ装置は、基材の前面側にハーフミラー層、背面側にミラー層をそれぞれ形成し、ミラー層の一部に光透過領域を設け、背面側から光を照射することにより、前面側から隣接した多重の像を確認することができるというものである。
これに対し、以下説明する第６の実施形態におけるディスプレイ装置は、基材の前面・背面の両面にハーフミラー層を形成することで、前面側及び背面側のいずれの方向からも隣接した多重の像を確認可能とするものである。
以下、特記しない限り、本実施の形態における構成及び効果は、本発明の第４の実施形態と同様であるものとして、この本実施の形態におけるディスプレイ装置について詳細に説明を進める。
【００８５】
（第６の実施形態の構成）
図１６は、本発明の第６の実施形態におけるディスプレイ装置の外観図である。
以下、図を用いて、本実施の形態におけるディスプレイ装置の構成の概略について説明を進める。
図に示すように、このディスプレイ装置は、樹脂（アクリル、ポリ塩化ビニル、ポリカーボネイト、ＰＥＴ等）やガラス等を素材とする透明な２ｍｍ〜３０ｍｍ程度の厚さの板状の基材６１０と、この基材６１０の背面側にアルミニウムやチタン等の金属をレーザで蒸着し保護コーティング処理をする等して形成されるハーフミラー層６２０と、同様にその基材６１０の前面側に形成されるハーフミラー層６３０とを有する。
これらハーフミラー層６２０，６３０は照射された光の一部を透過し、一部を反射する。
また、図に示すように、これらハーフミラー層６２０，６３０には、内側（基材６１０側）に、図柄や文字等が表示されている像表示部材６２１，６３１がそれぞれ設けられている。この像表示部材６２１，６３１は、シール状に形成されており、それらハーフミラー層６２０，６３０の内側（基材６１０側）に貼付してもよいし、そのハーフミラー層６２０，６３０の内側の面に印刷する等してもよい。
また、そのハーフミラー層６２０には、背面側からの光を前面側に進行させるための透明な光透過領域６２２が設けられている。この光透過領域６２２は、図柄や文字を表現するものであってもよく、この図柄や文字を前面側から多重の像として確認することができる。例えば、この光透過領域６２２は、アクリル等の透明な素材で構成してもよいし、エッチング又は彫刻加工をしてハーフミラー層６２０を削り取って除去すること等により形成されてもよい。
【００８６】
（第６の実施形態における視覚効果の説明）
次に、この図を用いて、ディスプレイ装置による像の生成過程について説明する。
図に示すように、背面側から照射された光は、光透過領域６２２又はハーフミラー層６２０そのものを透過して、前面側に進行する。
この透過光の一部はハーフミラー層６３０を前面側に透過し、一部は背面側に反射する。ハーフミラー層６３０から背面側への反射光は、ミラー層６２０において再度前面側に反射し、再度ハーフミラー層６３０にて反射又は透過する。
このとき、ハーフミラー層６２０，６３０間の光の透過及び反射が繰り返され、ハーフミラー層６３０上の像形成部材６３１上の反射光がハーフミラー層６２０を透過することで、ディスプレイ装置の背面側には、像が多重に隣接し連続して現れ、像の立体パターンが形成され、背面側から確認することができる。
【００８７】
さらに、ハーフミラー層６２０上の像形成部材６２１に対し、前面側からの反射光が照射され、ハーフミラー層６２０を背面側へ透過するので、背面側の観察者は、前述の像形成部材６３１の像とともに、像形成部材６２１の像も重ねて確認することができる。
【００８８】
一方、前面側からも、ハーフミラー層６２０，６３０間で光が透過及び反射を繰り返すことで、像形成部材６２１，６３１による、多重に隣接し連続した像の立体パターンを確認することができるようになる。
【００８９】
さらに、前述の第４の実施形態のように、光透過領域６２２による多重の像の立体パターンも前面側から確認することができる。
【００９０】
（第６の実施形態のまとめ）
以上説明したように、本実施の形態によれば、ミラー層６２０、ハーフミラー層６３０間において、照射光の透過又は反射が繰り返されることにより、この照射光の像が前面側及び背面側に多重に現れ、立体的パターンを形成するので、視覚効果を向上させることが可能となる。
【００９１】
なお、このように、本実施形態のディスプレイ装置は、前面側、背面側の両面から画像を確認できるので、利用範囲が拡大し、例えば店舗のウインドウに利用することができる。
また、像形成部材６２１，６３１の設置位置を調整することにより、両部材６２１，６３１の像を、前面側又は背面側から重ね合わせて確認することができるので、光透過領域６２２をかたどった像も併せて、より複雑な像パターンを表現することが可能となる。
【００９２】
また、基材６１０の厚さを調整して、ハーフミラー層６２０，６３０間の距離を短くすればするほど、前述の多重に隣接した像間の距離が近くなる。
反対に、ハーフミラー層６２０，６３０との間の距離を長くすればするほど、その像間の距離は遠くなり、奥行きのある立体パターン像となる。
このように、基材６１０の厚さを適宜調整することで、目的に応じた立体パターン像が得られる。
また、基材６１０を他の実施形態のように空気が充填された空間層として構成してもよい。
【００９３】
また、ハーフミラー層６２０，６３０をレーザ照射による蒸着により形成していたが、ハーフミラー層６２０，６３０の裏面に接着剤を塗布して、厚さ０．０５〜０．１程度のシール状に形成し、基材６１０の表裏面に貼付することにより、前述の本実施形態の効果と同様の効果が得られる。
【００９４】
なお、本実施形態では、ハーフミラー層６２０に光透過領域６２１を設けたが、ハーフミラー層６３０に設けてもよいし、両ハーフミラー層６２０，６３０に設けてもよい。また、照射光の光強度が強い場合には、特に設けなくてもよい。
また、図上には、特に光源は示されていないが、適宜設けてよいことは言うまでもない。また、自然光により像を表すこともできる。
【００９５】
＜実施形態のまとめ＞
以上説明したように、前述の実施の形態によれば、ミラー及びハーフミラーにより光源光を反射又は透過させることで、像の立体パターンを形成するので、看板や遊技機のリール等において優れた視覚効果を与えることが可能となる。
【００９６】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００９７】
【図１】本発明の第１の実施形態におけるディスプレイ装置の外観図である。
【図２】図１のディスプレイ装置のＡ−Ａ’断面を示す図である。
【図３】本発明の第１の実施形態における光源からの照射光の光路を示す図である。
【図４】本発明の第１の実施形態における光源光の像の立体パターンの一例を示す図である。
【図５】本発明の第１の実施形態における円状の像及び環状の像の一例を示す図である。
【図６】本発明の第１の実施形態における支持脚の一例を示す図である。
【図７】本発明の第１の実施形態におけるレンズの焦点距離と、レンズと点描画素との間の距離の関係を示す図である。
【図８】本発明の第２の実施形態におけるディスプレイ装置の外観を示す斜視図である。
【図９】本発明の第２の実施形態におけるディスプレイ装置の断面略図である。
【図１０】本発明の第２の実施形態における光源からの照射光の光路を示す図である。
【図１１】本発明の第２の実施形態における光透過領域の像の立体パターンの一例を示す図である。
【図１２】本発明の第２の実施の形態における光源による側面方向からの照射光の光路を示す図である。
【図１３】本発明の第３の実施形態におけるディスプレイ装置の外観図である。
【図１４】本発明の第４の実施形態におけるディスプレイ装置の外観図である。
【図１５】本発明の第５の実施形態におけるディスプレイ装置の外観図である。
【図１６】本発明の第６の実施形態におけるディスプレイ装置の外観図である。
【符号の説明】
【００９８】
１０，３１０，４１０，５２０    光源部
１１，３１１，４１１    筐体
１２，３１２，５１１    ミラー
１３，２０４，２０５，３１３，４１２，５２１    光源
１４，３１４，４１３，５２２    電源
２０，３２０    ハーフミラー部
２１，３２１，５１３    ハーフミラー
２２，３４，１３０，１３１    支持脚
２３，３５    空隙
３０    レンズ形成部
３１    透明板
３２    レンズ
３３    点描画素
１００    回胴リール部
１１０    円筒部
１１１    形状保持層
１１２，４２２    ミラー層
１１３，１１９，５１５    空間層
１１４，４２３，６２０，６３０    ハーフミラー層
１１５，１１７    印刷領域
１１６    透明層
１１８，３１５，４２４，６２２    光透過領域
１２０，３２２，５１４    支持部
２００    回動駆動部
２０１    駆動源
２０２    回動軸
２０３    筐体
３２３    空間層
４２０，５１０    透過反射部
４２１，６１０    基材
５１２，６２１，６３１    像表示部材
【図１】
2007241234.tif 000003
【図２】
2007241234.tif 000004
【図３】
2007241234.tif 000005
【図４】
2007241234.tif 000006
【図５】
2007241234.tif 000007
【図６】
2007241234.tif 000008
【図７】
2007241234.tif 000009
【図８】
2007241234.tif 000010
【図９】
2007241234.tif 000011
【図１０】
2007241234.tif 000012
【図１１】
2007241234.tif 000013
【図１２】
2007241234.tif 000014
【図１３】
2007241234.tif 000015
【図１４】
2007241234.tif 000016
【図１５】
2007241234.tif 000017
【図１６】
2007241234.tif 000018